(57)【要約】【課題】読影医の都合に合わせて画像サーバに保管された医用画像のコンサルテーションおよび／または読影を行えるようにする。【解決手段】画像サーバ３がコンサルテーションおよび／または読影が依頼された医用画像の一覧をウェブ上に公開し、読影医がパソコン１Ｂを用いてその一覧を参照する。一覧にはコンサルテーションおよび／または読影が依頼されたことを示すマークが含まれる。読影医が一覧を見てコンサルテーションおよび／または読影を行う医用画像を指定すると、画像サーバ３がその読影医のパソコン１Ｂに医用画像を送信する。読影医は医用画像を表示して、コンサルテーションおよび／または読影を行う。【選択図】          図１
2004280693.tif 000002
【特許請求の範囲】
【請求項１】
通信回線を介して送信された、医師に対するコンサルテーションを依頼するコンサルテーション依頼情報および／または読影依頼情報が付与された医用画像を受信する受信手段と、
前記コンサルテーション依頼情報および／または前記読影依頼情報に基づいて、前記コンサルテーション依頼および／または前記読影依頼があった前記医用画像の一覧を前記通信回線を介して公開する一覧公開手段と、
前記一覧を閲覧した医師による前記コンサルテーションおよび／または前記読影の指示を受け付ける指示受け付け手段と、
該指示のあった医用画像を前記指示を行った医師の端末装置に送信する画像送信手段とを備えたことを特徴とする画像管理装置。
【請求項２】
前記指示のあった医用画像について、該指示を行った医師以外の医師によるアクセスを禁止するアクセス禁止手段をさらに備えたことを特徴とする請求項１記載の画像管理装置。
【請求項３】
前記コンサルテーションおよび／または読影を行う複数の医師の情報を管理する医師情報管理手段をさらに備え、
前記一覧公開手段は、前記医師情報管理手段により管理される医師に対してのみ前記一覧を公開することを特徴とする請求項１または２記載の画像管理装置。
【請求項４】
前記受信手段は、前記コンサルテーションおよび／または前記読影を依頼する医師を表す依頼医師情報を前記医用画像とともに受信し、
前記一覧公開手段は、前記依頼医師情報とともに受信した医用画像については、該依頼医師情報により表される医師にのみ前記一覧に含めて公開することを特徴とする請求項１または２記載の画像管理装置。
【請求項５】
前記受信手段は、前記医師についての評価情報を受信し、
該評価情報に基づいて前記医師の評価を管理する評価管理手段をさらに備えたことを特徴とする請求項１から４のいずれか１項記載の画像管理装置。
【請求項６】
医用画像に医師に対するコンサルテーションを依頼するコンサルテーション依頼情報および／または読影依頼情報を付与する情報付与手段と、
前記コンサルテーション依頼情報および／または読影依頼情報が付与された医用画像を通信回線を介して外部装置に送信する画像送信手段とを備えたことを特徴とする端末装置。
【請求項７】
前記コンサルテーションおよび／または前記読影を依頼する医師の指定を受け付けて依頼医師情報を生成する依頼医師情報生成手段をさらに備え、
前記画像送信手段は、前記依頼医師情報を前記医用画像とともに前記外部装置に送信することを特徴とする請求項６記載の端末装置。
【請求項８】
前記医師についての評価情報を生成する評価情報生成手段をさらに備え、
前記画像送信手段は、前記評価情報を前記外部装置に送信することを特徴とする請求項６または７記載の端末装置。
【発明の詳細な説明】
【０００１】
【発明の属する技術分野】
本発明は、コンサルテーションおよび／または読影を行うための医用画像を管理する画像管理装置、および画像管理装置等の外部装置に、コンサルテーションおよび／または読影を依頼する医用画像を送信する端末装置に関するものである。
【０００２】
【従来の技術】
従来より医用画像の分野において、病院内の画像サーバや医用画像に関する各種サービスを提供するサービスセンタに設置された画像サーバに患者の放射線画像等の医用画像を保管し、医師が所有するパソコン等の端末装置からの要求に応じて、医用画像をその端末装置に転送して表示するようにしたシステムが用いられている。このようなシステムにおいては、ＣＲ（コンピューテッド・ラジオグラフィ）装置、ＣＴ（コンピュータ断層像撮影）装置、ＭＲＩ（磁気共鳴像撮影）装置等の入力モダリティにおいて患者を撮影することにより得られた医用画像を画像サーバに保管しておき、診察の方向性を定めるコンサルテーションおよび／または読影を行う読影医が、端末装置から医用画像を検索して表示することにより、コンサルテーションおよび／または読影を行っている。
【０００３】
また、コンサルテーションおよび／または読影は特殊な技術を要するため、開業医が大病院の読影医や読影を専門とする読影医にコンサルテーションおよび／または読影を依頼する場合がある。このような場合には、画像サーバを管理するサービスセンタにおいて、読影医のスケジュールを参照して、コンサルテーションおよび／または読影を行う読影医を決定し、開業医が画像サーバに送信した医用画像を読影医の端末装置に送信するようにしている。
【０００４】
しかしながら、このように読影医のスケジュールを管理するのは非常に煩雑である。このため、複数の読影医のスケジュールを表すスケジュール情報を管理し、スケジュール情報を参照して送信された医用画像のコンサルテーションおよび／または読影を割り当てる読影医を自動的に決定するシステムが提案されている（特許文献１参照）。このシステムによれば、読影医のスケジュールを手動で管理する必要がないため、医用画像の割り当ての煩雑さを防止することができる。
【０００５】
【特許文献１】
特開２００２−３２９１９０号公報
【０００６】
【発明が解決しようとする課題】
しかしながら、読影医のスケジュールが突然変更となった場合には、その読影医に医用画像を送信してもその読影医はコンサルテーションおよび／または読影を行うことができない。また、読影医が多忙な場合にはスケジュール自体を立案することが困難となる。さらに、読影医は自身のスケジュールを定期的に画像サーバに送信する必要があるため、読影医が自身のスケジュールを管理しなければならず、その作業が非常に面倒である。
【０００７】
本発明は上記事情に鑑みなされたものであり、読影医の都合に合わせて画像サーバに保管された医用画像のコンサルテーションおよび／または読影を行えるようにすることを目的とする。
【０００８】
【課題を解決するための手段】
本発明による画像管理装置は、通信回線を介して送信された、医師に対するコンサルテーションを依頼するコンサルテーション依頼情報および／または読影依頼情報が付与された医用画像を受信する受信手段と、
前記コンサルテーション依頼情報および／または前記読影依頼情報に基づいて、前記コンサルテーション依頼および／または前記読影依頼があった前記医用画像の一覧を前記通信回線を介して公開する一覧公開手段と、
前記一覧を閲覧した医師による前記コンサルテーションおよび／または前記読影の指示を受け付ける指示受け付け手段と、
該指示のあった医用画像を前記指示を行った医師の端末装置に送信する画像送信手段とを備えたことを特徴とするものである。
【０００９】
「コンサルテーション依頼情報」および「読影依頼情報」としては、コンサルテーションを依頼する旨および読影を依頼する旨を表すフラグを用いることができるが、これに限定されるものではない。
【００１０】
「医用画像の一覧」とは、コンサルテーションおよび／または読影の依頼があった医用画像を、コンサルテーション依頼の有無および／または読影依頼の有無が分かるように参照することができればいかなる態様であってもよく、例えば医用画像のサムネイル画像にコンサルテーション依頼の有無および／または読影依頼の有無が分かるマークを付与した一覧、医用画像を取得した患者名等の患者情報のリストにコンサルテーション依頼の有無および／または読影依頼の有無が分かるマークを付与した一覧等を用いることができる。
【００１１】
なお、本発明による画像管理装置においては、前記指示のあった医用画像について、該指示を行った医師以外の医師によるアクセスを禁止するアクセス禁止手段をさらに備えるものとしてもよい。
【００１２】
また、本発明による画像管理装置においては、前記コンサルテーションおよび／または読影を行う複数の医師の情報を管理する医師情報管理手段をさらに備え、
前記一覧公開手段を、前記医師情報管理手段により管理される医師に対してのみ前記一覧を公開するものとしてもよい。
【００１３】
また、本発明による画像管理装置においては、前記受信手段を、前記コンサルテーションおよび／または前記読影を依頼する医師を表す依頼医師情報を前記医用画像とともに受信するものとし、
前記一覧公開手段を、前記依頼医師情報とともに受信した医用画像については、該依頼医師情報により表される医師にのみ前記一覧に含めて公開するものとしてもよい。
【００１４】
また、本発明による画像管理装置においては、前記受信手段を、前記医師についての評価情報を受信するものとし、
該評価情報に基づいて前記医師の評価を管理する評価管理手段をさらに備えるものとしてもよい。
【００１５】
本発明による端末装置は、医用画像に医師に対するコンサルテーションを依頼するコンサルテーション依頼情報および／または読影依頼情報を付与する情報付与手段と、
前記コンサルテーション依頼情報および／または読影依頼情報が付与された医用画像を通信回線を介して外部装置に送信する画像送信手段とを備えたことを特徴とするものである。
【００１６】
なお、本発明による端末装置においては、前記コンサルテーションおよび／または前記読影を依頼する医師の指定を受け付けて依頼医師情報を生成する依頼医師情報生成手段をさらに備え、
前記画像送信手段を、前記依頼医師情報を前記医用画像とともに前記外部装置に送信するものとしてもよい。
【００１７】
また、本発明による端末装置においては、前記医師についての評価情報を生成する評価情報生成手段をさらに備え、
前記画像送信手段を、前記評価情報を前記外部装置に送信するものとしてもよい。
【００１８】
【発明の効果】
本発明の画像管理装置によれば、本発明の端末装置が送信したコンサルテーション依頼情報および／または読影依頼情報が付与された医用画像を受信手段が受診し、一覧公開手段が、コンサルテーション依頼および／または読影依頼があった医用画像の一覧を通信回線を介して公開する。そして、指示受け付け手段が、一覧を閲覧した医師によるコンサルテーションおよび／または読影の指示を受け付け、画像送信手段が指示があった医用画像を指示を行った医師の端末装置に送信する。これにより、コンサルテーションおよび／または読影を行う医師は、自身の都合に合わせてリアルタイムで医用画像の送信を受けることができるため、上記特許文献１に記載されたシステムのように、自身のスケジュールを管理する手間が無くなる。また、画像管理装置を管理するサービスセンタも、医師のスケジュールを管理する必要が無くなり、医師のスケジュールに左右されることなく、コンサルテーションおよび／または読影の結果を得ることができる。
【００１９】
また、指示のあった医用画像については、指示を行った医師以外の医師によるアクセスを禁止することにより、その医用画像について別の医師がコンサルテーションおよび／または読影を行うことによる、二重のコンサルテーションおよび／または読影の結果が得られることを防止できる。
【００２０】
また、コンサルテーションおよび／または読影を行う複数の医師の情報を医師情報管理手段により管理し、医師情報管理手段により管理される医師に対してのみ一覧を公開することにより、全く関係のない第三者に医用画像の一覧が公開されることが無くなる。
【００２１】
また、本発明の端末装置が送信したコンサルテーションおよび／または読影を依頼する医師を表す依頼医師情報を医用画像とともに受信し、依頼医師情報とともに送信された医用画像については、依頼医師情報により表される医師にのみ一覧に含めて公開することにより、コンサルテーションおよび／または読影が依頼された医師にのみコンサルテーションおよび／または読影を依頼することができ、これにより、同一の医師によるコンサルテーションおよび／または読影の結果を継続して得ることができる。
【００２２】
また、医師についての評価情報を受信し、評価情報に基づいて評価管理手段により医師の評価を管理することにより、どの医師の評価が高いかを管理することができ、これにより、評価の高い医師に対して優先的に一覧を公開する等してコンサルテーションおよび／または読影の依頼を行うことができ、その結果、より信頼性のあるコンサルテーションおよび／または読影の結果を得ることができる。
【００２３】
【発明の実施の形態】
以下図面を参照して本発明の実施形態について説明する。図１は本発明の実施形態による画像管理装置および端末装置を適用した医用画像保管システムの構成を示す概略ブロック図である。図１に示すように、本実施形態による医用画像保管システムは、端末装置としての機能を有する複数（ここでは３台）のパソコン１Ａ，１Ｂ，１Ｃと、医用画像を保管する画像管理装置としての機能を有する画像サーバ３と、ＣＲ（コンピューテッド・ラジオグラフィ）装置、ＣＴ（コンピュータ断層像撮影）装置、ＭＲＩ（磁気共鳴像撮影）装置等の医用画像を生成する複数の入力モダリティ５とがネットワーク２を介して接続されて構成される。
【００２４】
画像サーバ３は、医用画像保管システムを管理するサービスセンタに設置され、ネットワーク２を介して送信された入力モダリティ５が生成した医用画像を保管する。また、画像サーバ３は、医用画像を患者毎または検査毎にまとめて保管する。具体的には、患者毎または検査毎にフォルダを作成し、そのフォルダに対応する医用画像を保管する。さらに、画像サーバ３は、後述するように医用画像のコンサルテーションおよび／または読影を依頼する医師（例えば開業医であり、以降開業医と称する）が送信した医用画像も保管する。
【００２５】
図２は、パソコンの構成を示す概略ブロック図である。なお、パソコン１Ａ，１Ｂ，１Ｃはすべて同一の構成を有するため、ここではパソコン１Ａについてのみ構成を説明する。図２に示すように、パソコン１Ａは、パソコン１Ａの動作を制御するＣＰＵ１１と、パソコン１Ａを本発明による端末装置として動作させるためのプログラム、医用画像を表示するためのプログラムおよび画像サーバ３にアクセスするためのプログラムを含むＣＰＵ１１の動作プログラム並びに医用画像等の各種情報を記憶するための記憶手段であるハードディスク１２と、プログラム実行時の作業領域となるＲＡＭ１３と、ネットワーク２に接続するためのネットワークインターフェース１５と、各種入力を行うためのキーボード、マウス等からなる入力部１６と、種々の表示を行うモニタ１７とから構成されている。
【００２６】
そして、ＣＰＵ１１がハードディスク１２から端末装置のプログラムを読み出して実行することにより、ＣＰＵ１１が情報付与手段、依頼医師情報生成手段および評価情報生成手段として機能する。また、ＣＰＵ１１およびネットワークインターフェース１５が画像送信手段として機能する。
【００２７】
なお、本実施形態においては、パソコン１Ａは、医用画像のコンサルテーションおよび／または読影の依頼を行う開業医に所有され、パソコン１Ｂ，１Ｃは、医用画像のコンサルテーションおよび／または読影を行う医師（以下読影医とする）に所有されるものとする。
【００２８】
図３は、画像サーバの構成を示す概略ブロック図である。図３に示すように、画像サーバ３は、画像サーバ３の動作を制御するＣＰＵ３１と、画像サーバ３を画像管理装置として動作させるためのプログラムおよび画像サーバ３をウェブサーバとして動作させるためのプログラムを含むＣＰＵ３１の動作プログラム並びに医用画像等の各種情報を記憶するための記憶手段であるハードディスク３２と、プログラム実行時の作業領域となるＲＡＭ３３と、ネットワーク２に接続するためのネットワークインターフェース３５と、画像サーバ３を管理するサービスセンタのオペレータが各種入力を行うためのキーボード、マウス等からなる入力部３６と、種々の表示を行うモニタ３７とから構成されている。
【００２９】
そしてＣＰＵ３１がハードディスク３２から画像管理装置のプログラムを読み出して実行することにより、ＣＰＵ３１が一覧公開手段、アクセス禁止手段、医師情報管理手段および評価管理手段として機能する。また、ＣＰＵ３１およびネットワークインターフェース３５が受信手段および画像送信手段として機能する。また、入力部３６が指示受け付け手段として機能する。
【００３０】
なお、ハードディスク１２には、後述するようにして医用画像の一覧を公開する複数の読影医の氏名、メールアドレス等を管理する医師管理情報が保管されている。
【００３１】
次いで、本実施形態において行われる処理について説明する。図４は本実施形態において、開業医がパソコン１Ａを用いて、医用画像にコンサルテーションおよび／または読影の依頼情報を付与する際に行われる処理を示すフローチャートである。なお、医用画像は入力モダリティ５から送信されて画像サーバ３に保管されているものとする。まず、ＣＰＵ１１は、開業医による医用画像の表示の指示が入力部１６により行われたか否かを監視しており（ステップＳ１）、ステップＳ１が肯定されると、指示のあった医用画像を画像サーバ３から読み出し（ステップＳ２）、モニタ１７に表示する（ステップＳ３）。
【００３２】
図５はモニタ１７に表示された医用画像を示す図である。図５に示すようにモニタ１７には医用画像Ｍ０が表示され、その右側にコンサルテーション、読影、コンサルテーションおよび読影の双方、並びにコンサルテーションおよび読影を依頼しないことを指示するためのアイコン１７Ａが表示される。オペレータはアイコン１７Ａのいずれかを入力部１６を用いてクリックすることにより、コンサルテーション、読影、コンサルテーションおよび読影の双方、またはコンサルテーションおよび読影の双方を依頼しない旨を指示できる。
【００３３】
続いて、ＣＰＵ１１は、入力部１６を用いてのアイコンの指示があったか否かの監視を開始し（ステップＳ４）、ステップＳ４が肯定されると、その医用画像についてコンサルテーションおよび／または読影が依頼されたこともしくはコンサルテーションおよび読影が依頼されなかったことを表すフラグを設定する（ステップＳ５）。
【００３４】
図６は医用画像のファイル構造を示す図である。図６に示すように医用画像Ｍ０は医用画像本体の情報Ｍ１と、患者の氏名、性別、生年月日、病状等の付帯情報Ｍ２とからなり、付帯情報Ｍ２にフラグが設定される。例えば、コンサルテーションが依頼された場合には、フラグとして「１」を設定し、読影が依頼された場合にはフラグとして「２」を設定し、コンサルテーションおよび読影の双方が依頼された場合にはフラグとして「３」を設定する。何ら依頼がない場合にはフラグとして「０」を設定する。
【００３５】
そして、フラグを設定すると、ＣＰＵ１１はコンサルテーションおよび／または読影を依頼する読影医が入力部１６を用いて指定されたか否かを判定し（ステップＳ６）、ステップＳ６が肯定されるとその読影医を表す依頼医師情報を生成する（ステップＳ７）。なお、依頼医師情報としては、一人の読影医を表すものであってもよく、複数の読影医を表すものであってもよい。
【００３６】
そして、フラグが設定された医用画像を画像サーバ３に送信し（ステップＳ８）、処理を終了する。なお、依頼医師情報が生成された場合は依頼医師情報も医用画像と併せて画像サーバ３に送信する。
【００３７】
次いで、画像サーバ３において行われる処理について説明する。図７は画像サーバ３において医用画像の一覧の公開時に行われる処理を示すフローチャートである。まず、ＣＰＵ３１はハードディスク１２に１，２または３のフラグが設定された医用画像が存在するか否かを判定し（ステップＳ１１）、ステップＳ１１が肯定されると、さらに１，２または３のフラグが設定された医用画像について依頼医師情報が同時に送信されたか否かを判定する（ステップＳ１２）。なお、ステップＳ１１が否定されると、処理を終了する。
【００３８】
ステップＳ１２が肯定されると、依頼医師情報およびフラグに基づいて、依頼医師情報により表される読影医に対して、コンサルテーションおよび／または読影が依頼されたことが分かるように、その読影医専用の医用画像の一覧を生成する（ステップＳ１３）。一方、ステップＳ１２が否定されると、ハードディスク１２に保管された医師管理情報により管理されるすべての読影医に対して共通の医用画像の一覧を生成する（ステップＳ１４）。
【００３９】
図８は医用画像の一覧を示す図である。図８に示すように、医用画像の一覧には、コンサルテーションおよび／または読影が依頼された医用画像の付帯情報に含まれる患者情報がリストＧ１として表示され、さらにそのリストＧ１にコンサルテーションおよび読影のいずれかまたは双方が依頼されていることを表すマークを付与するための表Ｇ２が表示される。
【００４０】
そして、ＣＰＵ３１は生成された医用画像の一覧をウェブ上に公開し（ステップＳ１５）、処理を終了する。この公開は、読影医に対して医用画像の一覧のＵＲＬを送信することにより行えばよいが、あらかじめ読影医に対してＵＲＬを通知しておき、新たに医用画像の一覧が生成された旨を読影医に電子メール等により通知することにより行ってもよい。
【００４１】
次いで、画像サーバ３および読影医の端末装置であるパソコン１Ｂ，１Ｃにおいて医用画像の送受信時に行われる処理について説明する。図９は、医用画像の送受信時に行われる処理を示すフローチャートである。なお、ここでは読影医の端末装置をパソコン１Ｂとする。まず、パソコン１ＢにおいてＣＰＵ１１が医用画像の一覧をモニタ１７に表示する（ステップＳ２１）。続いて、入力部１６から読影医によるコンサルテーションおよび／または読影を行う医用画像の指示が行われたか否かの監視を開始し（ステップＳ２２）、ステップＳ２２が肯定されると、画像サーバ３が読影医が指示した医用画像をパソコン１Ｂに送信する（ステップＳ２３）。パソコン１ＢにおいてはＣＰＵ１１が受信した医用画像をモニタ１７に表示し（ステップＳ２４）、処理を終了する。これにより、読影医は医用画像のコンサルテーションおよび／または読影を行うことができる。なお、コンサルテーションおよび／または読影の結果は画像サーバ３に送信され、医用画像とともに管理される。
【００４２】
一方、画像サーバ３においては、ＣＰＵ３１が送信した医用画像の付帯情報にアクセス禁止のフラグを設定し（ステップＳ２５）、さらにアクセスが禁止された旨を医用画像の一覧に付与することにより医用画像の一覧を更新し（ステップＳ２６）、処理を終了する。アクセス禁止のフラグにより、その医用画像については指定を行った読影医以外の読影医のアクセスが禁止される。
【００４３】
図１０は更新された医用画像の一覧を示す図である。図１０に示すようにアクセスが禁止された医用画像のリストには「×」が付与され、その医用画像についてコンサルテーションおよび／または読影の指示を行った読影医以外の他の読影医のアクセスが禁止されている旨が分かるようになっている。
【００４４】
このように、本実施形態においては、コンサルテーションおよび／または読影を行う読影医は、自身の都合に合わせてリアルタイムで医用画像の送信を受けることができるため、読影医が自身のスケジュールを管理する手間が無くなる。また、画像サーバ３を管理するサービスセンタも、読影医のスケジュールを管理する必要が無くなり、読影医のスケジュールに左右されることなく、コンサルテーションおよび／または読影の結果を得ることができる。
【００４５】
また、読影医が送信の指示を行った医用画像については他の読影医のアクセスを禁止しているため、その医用画像について別の読影医が二重にコンサルテーションおよび／または読影を行うことが無くなる。
【００４６】
また、医師管理情報により管理される読影医に対してのみ医用画像の一覧を公開しているため、全く関係のない第三者に医用画像の一覧が公開されることが無くなる。
【００４７】
また、コンサルテーションおよび／または読影を依頼する読影医を表す依頼医師情報を医用画像とともに受信し、その医用画像については依頼医師情報により表される読影医にのみ医用画像の一覧に含めて公開することにより、コンサルテーションおよび／または読影が依頼された読影医にのみコンサルテーションおよび／または読影を依頼することができ、同一の読影医から継続してコンサルテーションおよび／または読影の結果を得ることができる。
【００４８】
なお、上記実施形態において、画像サーバ３において、コンサルテーションおよび／または読影を依頼した開業医による、読影医の評価を表す評価情報を受信するようにしてもよい。この評価情報は、読影医によるコンサルテーションおよび／または読影の結果が適切なものであったか否かを開業医が評価することにより得られるものであり、例えば、５段階評価の点数を評価情報として用いることができる。画像サーバ３は、読影医毎に評価結果の点数を累積して、読影医の順位を定めることができる。この場合、開業医のパソコン１ＡのＣＰＵ１１が評価情報生成手段として機能し、画像サーバ３のＣＰＵ３１が評価管理手段として機能する。そして定めた順位に基づいて、医用画像の一覧を順位が高い読影医に優先的に公開することにより、より評価の高い読影医によるコンサルテーションおよび／または読影の結果を得ることが可能となる。
【００４９】
なお、優先的に公開するには、例えばある順位以上の読影医に先に医用画像の一覧を公開し、一定期間経過後、先に一覧が公開された読影医が指定しなかった医用画像について再度一覧を生成して、その読影医よりも順位が下位の読影医には再度生成された一覧を公開するようにすればよい。
【図面の簡単な説明】
【図１】本発明の実施形態による画像管理装置および端末装置を適用した医用画像保管システムの構成を示す概略ブロック図
【図２】パソコンの構成を示す概略ブロック図
【図３】画像サーバの構成を示す概略ブロック図
【図４】医用画像にコンサルテーションおよび／または読影の依頼情報を付与する際に行われる処理を示すフローチャート
【図５】モニタに表示された医用画像を示す図
【図６】医用画像のファイル構造を示す図
【図７】画像サーバにおいて医用画像の一覧の公開時に行われる処理を示すフローチャート
【図８】医用画像の一覧を示す図
【図９】医用画像の送受信時に行われる処理を示すフローチャート
【図１０】更新された医用画像の一覧を示す図
【符号の説明】
１    パソコン
２    ネットワーク
３    画像サーバ
５    入力モダリティ
１１，３１    ＣＰＵ
１２，３２    ハードディスク
１３，３３    ＲＡＭ
１５，３５    ネットワークインターフェース
１６，３６    入力部
１７，３７    モニタ
【図１】
2004280693.tif 000003
【図２】
2004280693.tif 000004
【図３】
2004280693.tif 000005
【図４】
2004280693.tif 000006
【図５】
2004280693.tif 000007
【図６】
2004280693.tif 000008
【図７】
2004280693.tif 000009
【図８】
2004280693.tif 000010
【図９】
2004280693.tif 000011
【図１０】
2004280693.tif 000012